(57)【要約】【課題】本発明は、袋へ被収納物を収納する作業を効率よく、かつ、被収納物が袋開口部へ付着したり、袋外へこぼれたりする不具合を解消できる袋用保持スタンドであって、袋に被収納を満杯に入れてもスタンドを撤去することなく横方向から取り出せ、更に、多種類の袋サイズに適応できる機能を持った新規な袋用保持スタンドを提供することである。【解決手段】ポリ袋のような可撓性素材で構成された袋の開口部を開口状態で保持する枠体と、該枠体の中心より片側部に１以上の支柱を立設して自立するスタンドであって、前記枠体の一部が前記支柱の略対向側に開口されていることを特徴とした袋用保持スタンドである。【選択図】図１
2017061383.tif 000002
【特許請求の範囲】
【請求項１】
ポリ袋のような可撓性素材で構成された袋の開口部を開口状態で保持する枠体と、該枠体の中心より片側部に１以上の支柱を立設して自立するスタンドであって、前記枠体の一部が前記支柱の略対向側に開口されていることを特徴とした袋保持スタンド。
【請求項２】
前記枠体が袋の開口寸法に適合するように拡縮可能な手段を設けたことを特徴とした請求項１記載の袋保持スタンド。
【請求項３】
前記支柱が高さ調整可能な手段を設けたことを特徴とした請求項1又は２記載の袋保持スタンド。
【請求項４】
少なくとも前記枠体が支柱方向へ折り畳み可能な構造を備えた請求項１乃至３記載のいずれか１項記載の袋保持スタンド。
【発明の詳細な説明】
【技術分野】
【０００１】
本発明は、ポリ袋のような可撓性素材で構成された袋（以下袋と表記）に液体、粉体、粒状固体または固体、半固体など（以下被収納物と表記）を収納する作業の改善に寄与する、袋保持用スタンドに関するものである。
【背景技術】
【０００２】
従来、台所等で半凝固体のような食料品（被収納物）をポリ袋に注入する際に袋を保持する適宜なスタンドがないため、図９のように、片方の手でポリを袋を開口状態で保持し、もう片方の手で被収納物を袋に注入していたが、次のような不具合があった。
１．被収納物の注入が進むに伴って、その重量によって袋の姿勢が崩れ、開口状態が変化するので、それを修正しながら投入し続けることが困難であった。
２．1項の通り、片手で注ぐことになので作業速度が遅く、作業効率が低い。
３．1項の通り、開口部の形状が変化するので、被収納物が液体や粉体や半固体などの場合、投入作業中に開口部に被収納物が付着したり、袋外にこぼれたりする不具合が起こりやすい。
等の諸問題があった。
【０００３】
そこで、出願人は既に公開されているスタンドの使用を試みた。
例えば、
１    特開２００２−１５４６０２公報に記載されるゴミ回収用のスタンドでは、注入量が少ない場合は問題なく使用可能であるが、量を増すと袋の胴体部は該公報図１に示すようにゴミ袋Ｐの下部が環状掛架部（２）よりも大きく外側に膨れ（突出）てくる。
この様に満杯になり変形されたゴミ袋を環状掛架部から上方に引き出すことが困難で、この為に、スタンド自体を先ず上方に持ち上げて撤去し、その後、ゴミ袋を取り出すことになる。
この提案は、満杯になり変形された袋を容易に取り出すことは余り考量されておらずゴミ袋を環状掛架部（２）に装着することを主体にしたスタンドあると言える。
２    特開平８−２４２６９７公報第４図に示す植木鉢用スタンドも少量注入した時は問題ないが、支持部（２）近傍まで大量にゴミ等を入れると、  胴部が支持部２の環状より大きく膨み、前記同様、支持部の上方から引き出すことが出来ない、  また、横から引き出すにしても袋の結束部（４１）が支持部の上部にある場合には簡単には横引することが出来ない等の問題がある。
この提案も、植木鉢専用のスタンドとして開発されたものであるので、ゴミ袋を使用することは全く考量されていない。
従って、本願が目的とするゴミ袋特有の使用条件は考量さていない。
【先行技術文献】
【特許文献】
【０００４】
【特許文献１】特開2002−154602号
【特許文献２】特開平8−242697号
【非特許文献】
【０００５】
【非特許文献１】なし
【発明の概要】
【発明が解決しようとする課題】
【０００６】
本発明は、上述の如く、従来の作業方法では、作業能率が低い、作業速度が遅い、被収納物のこぼれや汚れがつく等の不具合があった。更に、提案されているスタンドでは、上方から取り出すにしても、横から取り出すにしても種々制約があり問題があった。また、一台のスタンドで多サイズの袋に対応できない問題もある。
そこで、如何なる状態に変形され満杯になった袋でも容易にスタンドから取り出すことができ、且つ、多サイズの袋にも適応できる新規な袋用保持スタンドを提供するものである。
その結果、高効率でスピーデイ−な袋へ投入作業が可能になる。
【課題を解決するための手段】
【０００７】
自立させた保持スタンドの枠体にポリ袋を開口状態に装着し、被収納物を注ぎ入れても袋の開口部が変形しないように維持することができ、更に、満杯に収納され胴部が膨らみ異常に突出した袋でもスタンドを撤去することなく、枠体の下方から袋を横に引き出すことが出来るスタンドを提供するものである。
また、枠体の大きさや支柱の高さを調整する機能を備えることによって多種類のサイズの袋にも適応できるスタンドを提供する。
更に、袋保持スタンドを狭いスペースに収納可能にするため、枠体を折り畳むことができるスタンドを提供する。
【０００８】
本発明の構造をより詳細に説明する。
特許請求項１記載のように、本発明は、ポリ袋のような可撓性素材で構成された袋の開口部を開口状態で保持する枠体と、該枠体の中心より片側部位に１以上の支柱を立設して自立する袋用保持スタンドであって、更に、前記枠体の一部が支柱の略対向側に開口されていることを特徴とした袋用保持スタンドである。
枠体、支柱、台座の素材は特に限定するものではない。素材は柔軟性（弾性）のある金属や合成樹脂で製作することが経費上好ましい。
【０００９】
本発明では、枠体の開口部が支柱の略対向側と特定した。
この理由は、満杯になり胴部が異常に突出して、結束部（４１）を該開口部（Ｄ）から横に引き出す際に、袋の突出部が支柱に当たり、袋を容易に引き出すことが出来ない位置に開口部を設けるのではなく、袋を引き出す際に支柱が邪魔にならない近傍であればよい。
その開口部の位置を特定する方法として、数本の支柱から成るスタンドの場合は、数本の支柱を一本の支柱として束めた仮想支柱を描き、この仮想支柱のセンターと枠体の中心（Ｏ）を結び対向側の枠体の位置に開口部（Ｄ）を設けることを本発明では定義付けます。
但し、厳密に部位を指定するものではなく、如何なる状態に変形された袋でも支柱に邪魔されることなく横引き出来る位置であれば良いので略対向側とした。
【００１０】
また、多種類のサイズの袋にも適応できるように、請求項２のように、枠体の大きさを調整可能にした。その手段には種々あるが、例えば、図３のように、１本の弾性線材で拡縮可能に略円形に成形する手段とか、図示しないが径の異なるパイプを嵌挿させて大きさを調整する手段や、又は、図４のように筒体（１3）、（１4）内に枠体の部材（１１）、（１２）を袋のサイズに合わせて挿入して固定金具（１５）で筒体に固定させる構造にした枠体等がある。
更に、請求項３記載のように支柱の高さを調整するために、図４のように、中空支柱（２2）に支柱（２）を挿入して固定金具（２3）で固定させる手段や、図５のように枠体に高さ調整段（５）を設ける手段や、図６のように中空支柱（２２）に支柱（２）を挿入して固定金具（２３）で固定させるなどの手段を講じてもよい。
また、請求項４記載のように枠体を折り畳むために、図７のように回転軸（１６）、アーム（１７）を備えた枠体と軸受（２４）、枠体架台部（２５）を備えた台座で構成する手段を講じてもよい。図示しないが、これと同様の構造を台座側にも適用すると台座も折り畳むことができる。
尚、図４、図５、図６に示す実施例は、いずれも分割できる構造であるため、分割することによって前述の折り畳みと同様に、袋保持スタンドの収納スペース削減に寄与することが出来る。
【発明の効果】
【００１１】
以上の説明から明らかなように、本発明にあっては次に列挙する効果が得られる。
１．袋を開口状態で自立させることによって、袋に被収納物を投入する作業を両手で行うことができる。また、被収納物の投入が進むにつれて袋の姿勢がくずれて開口部が狭くなることがなくなる。
２．袋への収納作業効率が改善されることに加えて、被収納物が開口部に付着したり、袋外にこぼれたりする不具合が解消できる。
３．枠体の大きさや支柱の高さが調整可能であるので、いろいろなサイズの袋に利用でき、更に、他の用途にも使用でき弁名スタンドである。
４．支柱が枠体中心より片側のみに取り付けられているので、満杯に膨れた袋でも、スタンドを撤去することなく、枠体の下方から横に引き出すことが出来る。
５．枠体の一部が開放されているので、封じられた新しい袋をこの部分から枠体内に入れ、その後、袋を開口して開口部を枠体に容易に装着出来る。袋を枠体により強く装着するには洗濯バサミ等で挟持してもよい。
６．枠体の一部が開口さているので、枠体近傍まで満杯に注入することができ、袋の結束部（４１）を枠体の下部に入れることなく、図２のように横引きすることで枠体から容易に引き出すことができる。
これは本願特有の効果である。
【図面の簡単な説明】
【００１２】
【図１】特許請求項１記載の本発明の第1実施例を示す袋保持スタンドの図である。
【図２】第１実施例の袋保持スタンドから満杯に収納された袋を枠体から横に引き出す状態を示す図である。
【図３】特許請求項１記載の本発明の第２実施例を示す袋保持スタンドの図である。
【図４】特許請求項２、３記載の本発明の第３実施例を示す袋保持スタンドの図である。
【図５】特許請求項３記載の本発明の第４実施例を示す袋保持スタンドである。
【図６】特許請求項３記載の本発明の第５実施例を示す袋保持スタンドである。
【図７】特許請求項４記載の本発明の第６実施例を示す袋保持スタンドである。
【図８】特許請求項４記載の本発明の第６実施例を示す袋保持スタンドである。
【図９】従来の方法で被収納物を袋に注いでいる図である。
【発明を実施するための形態】
【００１３】
実施例に基づき本発明の形態を説明する。
【実施例】
【００１４】
請求項１記載発明の第１実施例を図１及び図２に示す。
袋の開口部を装着する枠体（１）に支柱（２）を２本立設して下部に台座（３）を取付けた袋の保持スタンドでる。この２本の支柱は枠体の中心（Ｏ）より片側に設けられている。  これは、収納物で膨らんだ袋を枠体の下方から矢印方向、横に引き出すことを可能にする為である。更に、枠体（１）の一部（支柱の略対向側）に開口部（Ｄ）を設けた。
図２は、本実施例の使用状態を示す図で、満杯に収納された袋でも容易に結束部（４１）を枠の開口部から横に引き出すことができ、袋全体は枠体から横に引き出すことが出来る。
枠体の径（Ｅ）は袋の開口部より若干大きくするとよい。
枠体の開口部（Ｄ）は袋の結束部（４１）が通れる巾でよく、支柱（２）の略対向側に設ける。
台座（３）はスタンドを安定させて自立さすためで台座の直径（Ｆ）は枠体の径（Ｅ）よりやや大きいほうが好ましい。
支柱（２）の高さ（Ｈ）は袋の深さに応じた寸法であればよい。
尚、支柱の本数は特に限定するものではない。  その理由は収納される袋は床上に置くため枠体には余り荷重が掛からないためである。従って、枠体を支え転倒しない構造であれば１本でもよい。更に、枠体、支柱、台座の素材も特に限定するものではない。
【００１５】
請求項１記載発明の第２実施例を図３に示す。
本実施例は１本の線材を曲げ加工したものである。この製作方法は極簡単で誰でもが容易に作ることが出来ることと、拡縮の弾性係数が高い形状であるので、広範囲の開口寸法の袋に適合出来る。
【００１６】
請求項２及び３記載発明の実施例を第３実施例として図４に示す
枠体（１）は袋の開口部の大きさに応じて拡縮可能なように枠体部材（１１）、（１２）と、筒（１３）（１４）で構成され、図示のように枠体部材（１１）は筒（１３）内に、枠体部材（１２）は一方を筒（１３）内に、他方を筒（１４）内に摺動可能に挿入されている
従って、枠体の大きさは、筒（１３）（１４）内に枠体部材（１１）（１２）を出し入れすることによって、自在に調整可能である。尚、調整した後、固定金具（１５）で部材が移動しないように固定すると安定する。
更に、支柱（２）には中空支柱（２２）が取付けられている。中空支柱（２２）に挿入された支柱（２）は固定金具（２３）によって固定される。  従って、袋の大きさによってスタンドの高さ調整が可能である。
この様にして、多種寸法の袋がスタンドに装着可能である。
支柱は外側に傾斜させて立設し安定させている。
尚、固定金具（１５）と（２３）を緩めると、枠体枠体（１１）、（１２）と筒（１３）、（１４）が分割でき、支柱（２）と中空支柱（２２）が分割できるため、袋保持スタンドの収納スペースが削減できる。
【００１７】
請求項３記載発明の第4実施例として図５に示す。
高さ調整段（５）を備えた枠体（１）、高さ調整段受け（６）を備えた台座（３）をそれぞ作り、それらを組み合わせて構成する構造である。
高さ調整段凸部（５１）や（５２）を高さ調整段受け（６）の曲げ部（６１）に架けることによって高さ（Ｈ）を調整することが出来る。凸部（５３）、（５４）は、高さ調整段（５）と高さ調整段受け（６）を摺動可能に取り付けるために設けたものである。
図示した凸部（５１）を曲げ部（６１）から外して、下方へ摺動移動すると、凸部（５４）が台座（３）が置かれてある平面に到達するが、この位置が、高さ（Ｈ）の最低値となる。高さ（Ｈ）を高くするときは、高さ調整段（５）を上方へ摺動移動して、凸部（５１）や（５２）を曲げ部（６１）に架ける。このとき凸部を内側へ押し縮めて、凸部の幅（W1）を曲げ部の幅（Ｗ2）より小さくする必要があるが、高さ調整段（５）の弾性によって手で容易に行うことが出来る。高さ（Ｈ）は、（５１）、（５２）の順に高くなる。
尚、枠体（１）と台座（３）は高さ調整段（５）と高さ調整段受け（６）が交差するように組み合わせているが、高さ調整段凸部（５３）を内側へ押し縮めながら高さ調整段受け（６）から外すことができる。つまり枠体と台座が分割できることになる。この分割によって、袋保持スタンドの収納スペースが削減出来る。
【００１８】
請求項３記載発明の実施例を第５実施例として図６に示す。
中空支柱（２２）を立設した板状の台座（３）と、支柱（２）を備えた枠体（１）で構成される構造である。
支柱（２）は、中空支柱（２２）内に摺動可能に挿入されており、必要な高さ（Ｈ）に応じて中空支柱内を摺動して高さを調整することが出来る。調整した後、固定金具（２３）で固定する。
尚、固定金具（２３）を緩めると枠体（１）と台座（３）が分割できるし、中空支柱（２２）と台座（３）とを雄ネジと雌ネジで組み合わせる構造にしておけば、このふたつも分割できる。このような分割は袋保持スタンドの収納スペース削減に寄与する。
【００１９】
請求項４記載発明の第6実施例として図７、図８に示す。
本発明は、袋スタンド自身の収納スペースを削減することを目的として考案したものである。
回転軸（１６）、アーム部（１７）を備えた枠体（１）と、先端に枠体（１）を回転可能に取り付けるための軸受（２４）、枠体架台部（２５）を備えた支柱（２）が一体となった台座（３）から構成される。
枠体（１）は、軸受（２４）に貫通した回転軸（１６）と枠体架台（２５）上に乗ったアーム部（１７）よって、支柱に安定的に固定される。使用後片付けるときは、枠体（１）を回転軸（１６）を軸に上方へ回転するように移動して図９のように折り畳むことが出来る。折り畳んだ後、爪（１８）を支柱（２）に引っ掛けて枠体（１）を固定すると収まりがよい。
図示しないが、これと土曜の構造を台座側にも起用すると、台座も折り畳むことができ、より大きな省スペース効果が得られる。
折り畳むことの効果は、袋保持スタンドの収納スペース削減である。収納スペースの削減は、使用者側において好都合であるばかりか、袋保持スタンドの生産販売過程においても在庫、陳列スペースの削減等に寄与することができる。
【産業上の利用可能性】
【００２０】
工場の製造ラインで、製造機械から連続的に吐き出される製品などを受ける袋のスタンドとして使える。
【００２１】
小型の土嚢作りにも適用できる。従来は、一人が袋を支え、もう一人が土や砂を投入しているが、袋保持スタンドを使えば一人で作業できる。限られた人数で素早く土嚢を作ることができる。
また、除草清掃、植木剪定などで生ずる廃棄物をゴミ袋に収納する際も同様に作業能率改善に役立つ。
【符号の説明】
【００２２】
１    枠体
１１  枠体部材
１２  枠体部材
１３  枠体の筒
１４  枠体の筒
１５  筒の固定金具
１６  回転軸
１７  アーム部
１８  爪
２    支柱
２１  支柱に設けた調節穴
２２  中空支柱
２３  固定金具
２４  軸受
２５  枠体架台部
３    台座
４    袋
41    袋の結束部
５    高さ調整段
５１  高さ調整段凸部
５２    高さ調整段凸部
５３    高さ調整段凸部
５４    高さ調整段凸部
６     高さ調整段受け
６１   曲げ部
Ｄ    枠体の開放部隙間
E     枠体直径
O    枠体の中心
F     台座の直径
H    袋保持スタンドの高さ
W1   高さ調整段凸部の幅
W2   高さ調整段受けの幅              
【図１】
2017061383.tif 000003
【図２】
2017061383.tif 000004
【図３】
2017061383.tif 000005
【図４】
2017061383.tif 000006
【図５】
2017061383.tif 000007
【図６】
2017061383.tif 000008
【図７】
2017061383.tif 000009
【図８】
2017061383.tif 000010
【図９】
2017061383.tif 000011